(57)【要約】【課題】被洗浄物の乾燥が早く短時間で使用可能になるような洗浄が行える洗浄装置を提供する。【解決手段】液体洗浄剤を収容する洗浄剤収容容器１と、洗浄剤収容容器１内の液体洗浄剤を発泡させる発泡装置２と、洗浄剤収容容器１内で発泡した泡状洗浄剤を吐出する送泡ホース３と、駆動手段５を具備し送泡ホース３から吐出された泡状洗浄剤を被洗浄物に擦り付けるブラッシング装置４と、濯ぎ液を収容する濯ぎ液収容容器６と、ポンプ８を具備し濯ぎ液収容容器６内の濯ぎ液を吐出する濯ぎ液吐出ホース７と、吸引機１０と吸引ホース１１とを具備し被洗浄物に吐出された洗浄剤及び濯ぎ液を吸引する汚水吸引装置９と、汚水吸引装置９で吸引した洗浄剤及び濯ぎ液を収容する汚水収容容器１２を備えた。【選択図】  図１
2004243283.tif 000002
【特許請求の範囲】
【請求項１】
液体洗浄剤を収容する洗浄剤収容容器と、前記洗浄剤収容容器内に気体を送り液体洗浄剤を発泡させる発泡装置と、一端を前記洗浄剤収容容器に接続し先端から前記洗浄剤収容容器内で発泡した泡状洗浄剤を吐出する送泡ホースと、駆動手段を具備し前記送泡ホースから吐出された泡状洗浄剤を被洗浄物に擦り付けるブラッシング装置と、濯ぎ液を収容する濯ぎ液収容容器と、ポンプを具備し濯ぎ液収容容器内の濯ぎ液を吐出する濯ぎ液吐出ホースと、吸引機と吸引ホースとを具備し被洗浄物に吐出された前記洗浄剤及び濯ぎ液を吸引する汚水吸引装置と、汚水吸引装置で吸引した洗浄剤及び濯ぎ液を収容する汚水収容容器を備えたことを特徴とする洗浄装置。
【請求項２】
前記発泡装置は、コンプレッサーと、一端をコンプレッサーに接続し他端を前記洗浄剤収容容器内に配置した送気ホースとを具備し、該送気ホースは、洗浄剤収容容器内で複数本に分岐していることを特徴とする請求項１に記載の洗浄装置。
【請求項３】
前記送気ホースの先端には、多孔質部材が取り付けられていることを特徴とする請求項１又は２に記載の洗浄装置。
【請求項４】
前記洗浄剤収容容器の上部が錐形状に形成され、該錐形状の頂部に前記送泡ホースの一端が開口していることを特徴とする請求項１，２又は３に記載の洗浄装置。
【請求項５】
前記送泡ホース、濯ぎ液吐出ホース及び吸引ホースのそれぞれの先端が、送泡孔、濯ぎ液吐出孔及び吸引孔を有するジョイント管の一端に開口する送泡孔、濯ぎ液吐出孔、吸引孔に接続され、
該ジョイント管の他端には、送泡兼吸引ノズル孔及び濯ぎ液吐出ノズル孔を有するノズル体の後端が、回転可能に且つ送泡孔或いは吸引孔と送泡兼吸引ノズル孔と、及び濯ぎ液吐出孔と濯ぎ液吐出ノズル孔とが連通可能に接続され、
前記ノズル体を回転させることにより、所定回転位置で前記送泡孔と送泡兼吸引ノズル孔とが連通するとともに濯ぎ液吐出孔、吸引孔及び濯ぎ液吐出ノズル孔とが遮蔽され、他の回転位置で吸引孔と送泡兼吸引ノズル孔及び濯ぎ液吐出孔と濯ぎ液吐出ノズル孔とがそれぞれ連通するとともに送泡孔が遮蔽されるようになっていることを特徴とする請求項１，２，３又は４に記載の洗浄装置。
【請求項６】
前記洗浄剤収容容器、発泡装置、ブラッシング装置、濯ぎ液収容容器、吸引機及び汚水収容容器は、移動自在な架台に載置されていることを特徴とする請求項１，２，３，４又は５に記載の洗浄装置。
【請求項７】
前記架台には電源或いは電源に接続する接続コードが備えられていることを特徴とする請求項６に記載の洗浄装置。
【発明の詳細な説明】
【０００１】
【発明の属する技術分野】
本発明は、主として被洗浄面が浸水構造を有する被洗浄物の洗浄に使用される洗浄装置であって、特に車両の内層部表面や家具等の椅子の表面の洗浄に適した洗浄装置に関する。
【０００２】
【従来の技術】
従来、例えば自動車等の車両用の内層部表面やオフィス等で使用される家具等の椅子の表面の洗浄にあっては、一般に、液状の洗剤が使用され、液状の洗浄剤を被洗浄物の被洗浄面に吹き付けて、ブラッシング等により被洗浄面の汚れを落とした後、汚水濯ぎ液で濯ぎバキューマーで吸引するといった方法が知られている（例えば、特許文献１参照）。
【０００３】
前記洗浄作業では、洗浄剤を吹き付ける装置、洗浄剤を付着させた洗浄面をブラシングするブラッシング装置、濯ぎ液を吹き付ける装置、バキューマー等はそれぞれ独立した装置として存在し、それぞれ周辺機器とともに作業現場に運ばれ洗浄作業に使用されている。
【０００４】
【特許文献１】
特開平１１−１１２５８号公報
【０００５】
【発明が解決しようとする課題】
上記のような液状の洗浄剤を使用した洗浄にあっては、被洗浄面に織布といった浸水構造を有するシートが使用されている場合、洗浄時に多量の洗剤分や水分が被洗浄面を通して被洗浄物内に入り込み、そのため、乾燥して使用可能になるまでに長時間を要するといった問題があった。
【０００６】
また、前記洗浄作業に使用する、洗浄剤を吹き付ける装置、洗浄剤を付着させた洗浄面をブラッシングするブラッシング装置、濯ぎ液を吹き付ける装置、バキューマー等はそれぞれ独立した装置として存在し、それぞれ周辺機器とともに作業現場に運び入れるので、これらの装置が場所をとり、このため作業空間が狭い場合、作業動作が制限され洗浄作業を面倒なものとするといった問題があった。
【０００７】
本発明の目的とするところは、被洗浄物の乾燥が早く短時間で使用可能になるような洗浄が行える洗浄装置を提供することにある。
本発明の他の目的とするところは、取り扱いが容易で、特に狭い作業空間内においても洗浄作業を容易に行うことができる洗浄装置を提供することにある。
【０００８】
【課題を解決するための手段】
上記の目的を達成するために、請求項１に記載の洗浄装置は、液体洗浄剤を収容する洗浄剤収容容器と、前記洗浄剤収容容器内に気体を送り液体洗浄剤を発泡させる発泡装置と、一端を前記洗浄剤収容容器に接続し先端から前記洗浄剤収容容器内で発泡した泡状洗浄剤を吐出する送泡ホースと、駆動手段を具備し前記送泡ホースから吐出された泡状洗浄剤を被洗浄物に擦り付けるブラッシング装置と、濯ぎ液を収容する濯ぎ液収容容器と、ポンプを具備し濯ぎ液収容容器内の濯ぎ液を吐出する濯ぎ液吐出ホースと、吸引機と吸引ホースとを具備し被洗浄物に吐出された前記洗浄剤及び濯ぎ液を吸引する汚水吸引装置と、汚水吸引装置で吸引した洗浄剤及び濯ぎ液を収容する汚水収容容器を備えたことを特徴とする。
【０００９】
かかる構成から、被洗浄物の洗浄に際し、発泡装置により洗浄剤収容容器に収容されている液体洗浄剤を発泡させ、泡状洗浄剤を送泡ホースにより被洗浄物の被洗浄面に吐出して付着させることができ、被洗浄面に付着した泡状洗浄剤は泡の状態を保ち、被洗浄面を通して被洗浄物内への洗剤分や水分の浸透する量が抑制され、かかる状態でブラッシング装置によりブッラシングすることにより、泡状洗浄剤が被洗浄面の汚れを落とし、ブラッシングの後、ポンプを駆動して濯ぎ液収容容器内の濯ぎ液を濯ぎ液吐出ホースから被洗浄面に濯ぎながら、汚水吸引装置で被洗浄面の汚れを含む洗浄剤及び濯ぎ液等の汚水を吸引することができる。このように洗浄できるので、被洗浄面の汚れを効果的に落とし美麗な被洗浄面を得られるだけでなく、被洗浄物内への洗剤分や水分の浸透する量が抑制され、その浸透量を少なくすることができるので、被洗浄物の乾燥時間が早くなり、洗浄後短時間で使用に供することを可能にする。
【００１０】
請求項２に記載の洗浄装置は、請求項１に記載の、前記発泡装置が、コンプレッサーと、一端をコンプレッサーに接続し他端を前記洗浄剤収容容器内に配置した送気ホースとを具備し、該送気ホースは、洗浄剤収容容器内で複数本に分岐していることを特徴とする。
【００１１】
かかる構成から、送気ホースが洗浄剤収容容器内で複数本に分岐しているので、洗浄剤収容容器内に収容されている液体洗浄剤内の複数箇所に気体が送り込まれることになり、液体洗浄剤を効率よく発泡させ泡状洗浄剤を生成することができる。そして、生成された泡状洗浄剤は、後から生成される泡状洗浄剤に押されて送泡ホースに送り出され、送泡ホースの先端側から吐出する。
【００１２】
請求項３に記載の洗浄装置は、請求項１又は２に記載の、前記送気ホースの先端には、多孔質部材が取り付けられていることを特徴とする。
【００１３】
かかる構成から、送気ホースから送られてきた気体が多孔質部材を通過することにより大量の気泡となって送り出されるので、液体洗浄剤をより効率よく発泡させ泡状洗浄剤を生成することができる。
【００１４】
請求項４に記載の洗浄装置は、請求項１，２，又は３に記載の、前記洗浄剤収容容器の上部が錐形状に形成され、該錐形状の頂部に前記送泡ホースの一端が開口していることを特徴とする。
【００１５】
かかる構成から、洗浄剤収容容器で液体洗浄剤を発泡させ生成した泡状洗浄剤を前記洗浄剤収容容器の錐形状に形成された上部に集めることができ、該錐形状の頂部に前記送泡ホースの一端が開口しているので、生成された泡状洗浄剤を、泡状洗浄剤の生成の圧力により送泡ホースに効率よく送り出すことができ、しかも、上部にある水分の少ない泡状洗浄剤が送り出されることになるので、その分、被洗浄物内への洗剤分や水分の浸透する量が少なくなり、被洗浄物の短時間での乾燥に寄与するものとなる。
【００１６】
請求項５に記載の洗浄装置は、請求項１，２，３，又は４に記載の、前記送泡ホース、濯ぎ液吐出ホース及び吸引ホースのそれぞれの先端が、送泡孔、濯ぎ液吐出孔及び吸引孔を有するジョイント管の一端に開口する送泡孔、濯ぎ液吐出孔、吸引孔に接続され、該ジョイント管の他端には、送泡兼吸引ノズル孔及び濯ぎ液吐出ノズル孔を有するノズル体の後端が、回転可能に且つ送泡孔或いは吸引孔と送泡兼吸引ノズル孔と、及び濯ぎ液吐出孔と濯ぎ液吐出ノズル孔とが連通可能に接続され、前記ノズル体を回転させることにより、所定回転位置で前記送泡孔と送泡兼吸引ノズル孔とが連通するとともに濯ぎ液吐出孔、吸引孔及び濯ぎ液吐出ノズル孔とが遮蔽され、他の回転位置で吸引孔と送泡兼吸引ノズル孔及び濯ぎ液吐出孔と濯ぎ液吐出ノズル孔とがそれぞれ連通するとともに送泡孔が遮蔽されるようになっていることを特徴とする。
【００１７】
かかる構成から、前記送泡ホース、濯ぎ液吐出ホース及び吸引ホースのそれぞれの先端を１つにまとめ、ジョイント管によりノズル体に接続し、ノズル体を回転させることにより、泡状洗浄剤の吐出、濯ぎ液の吐出、汚水の吸引を行うことができるので、装置の簡略化が図れ、取り扱いが容易となり、特に狭い作業空間内においても洗浄作業を容易に行うことができるものとなる。
【００１８】
請求項６に記載の洗浄装置は、請求項１，２，３，４又は５に記載の、前記洗浄剤収容容器、発泡装置、ブラッシング装置、濯ぎ液収容容器、吸引機及び汚水収容容器は、移動自在な架台に載置されていることを特徴とする。
【００１９】
かかる構成から、洗浄装置を被洗浄物のある場所に容易に移動することができるので、作業場所に制約を受けず、容易に洗浄作業を行うことができる。
【００２０】
請求項７に記載の洗浄装置は、請求項６に記載の、前記架台には電源或いは電源に接続する接続コードが備えられていることを特徴とする。
【００２１】
かかる構成から、発泡装置、ブラッシング装置、吸引機等は、架台に備えた電源或いは電源に接続する接続コードを介して電源に接続され駆動することができるので、作業上の取り扱いを容易にすることができる。
【００２２】
【発明の実施の形態】
以下、本発明に係る洗浄装置の実施の形態の一例を図面に基づいて詳細に説明する。
図面において、１は液体洗浄剤を収容する洗浄剤収容容器、２は前記洗浄剤収容容器１内に気体を送り液体洗浄剤を発泡させる発泡装置、３は一端を前記洗浄剤収容容器１に接続し先端から前記洗浄剤収容容器１内で発泡した泡状洗浄剤を吐出する送泡ホース、４は駆動手段５を具備し前記送泡ホース３から吐出された泡状洗浄剤を被洗浄物に擦り付けるブラッシング装置、６は濯ぎ液を収容する濯ぎ液収容容器、７はポンプ８を具備し濯ぎ液収容容器６内の濯ぎ液を吐出する濯ぎ液吐出ホース、９は吸引機１０と吸引ホース１１とを具備し被洗浄物に吐出された前記洗浄剤及び濯ぎ液を吸引する汚水吸引装置、１２は汚水吸引装置９で吸引した洗浄剤及び濯ぎ液を収容する汚水収容容器である。
【００２３】
前記の洗浄剤収容容器１、発泡装置２、ブラッシング装置４、濯ぎ液収容容器６、吸引機１０及び汚水収容容器１２等は、移動自在な架台１３に載置されており、一体となって移動できるようになっている。
【００２４】
前記架台１３には、電源或いは電源に接続する接続コードが備えられており、本例では、電源に接続する接続コード１４が備えられており、前記発泡装置２、ブラッシング装置４、濯ぎ液収容容器６内の濯ぎ液を吐出するポンプ８、吸引機１０等の駆動源の給電用のソケット１５が設けられている。
【００２５】
前記液体洗浄剤を収容する洗浄剤収容容器１は、その上部１６が錐形状に形成され、該錐形状の頂部に前記送泡ホース３の一端が開口している。
【００２６】
前記洗浄剤収容容器１内に気体を送り液体洗浄剤を発泡させる発泡装置２は、コンプレッサー１７と、一端がコンプレッサー１７に接続され他端が前記洗浄剤収容容器１内に配置された送気ホース１８とを具備しており、コンプレッサー１７の駆動により送気ホース１８から前記洗浄剤収容容器１内に気体を送るようになっている。前記送気ホース１８の先端開口部は前記洗浄剤収容容器１内の底部付近で開口している。本例では、この送気ホース１８の先端には、無数の孔が穿設されている多孔質部材１９が取り付けられている。
【００２７】
また、前記送気ホース１８にあっては、本例では、洗浄剤収容容器１内で複数本に分岐しており、それぞれの分岐ホース１８ａ，１８ｂの先端に、前記多孔質部材１９が取り付けられている。
【００２８】
前記ブラッシング装置４は、モーターからなる駆動手段５と、駆動手段５により回転してブラッシングする回転ブラシ２０とで構成され、電源コード２１のプラグが前記架台１３に設けた給電用のソケット１５に差し込まれて使用されるようになっている。このブラッシング装置４の駆動は、ホルダー２２に設けた手元スイッチ（図示せず）により行えるようになっている。前記回転ブラシ２０にあっては、被洗浄面を傷めることの少ない材質の毛で作られている。
【００２９】
前記送泡ホース３、濯ぎ液吐出ホース７及び吸引ホース１１はいずれも可撓性ある、例えばゴムホースで形成されており、それぞれの先端が、送泡孔２３、濯ぎ液吐出孔２４及び吸引孔２５を有するジョイント管２６の一端に開口する送泡孔２３、濯ぎ液吐出孔２４、吸引孔２５に適宜の継手を介して接続されている。
【００３０】
このジョイント管２６の他端には、送泡兼吸引ノズル孔２７及び濯ぎ液吐出ノズル孔２８を有するノズル体２９の後端が、回転可能に且つ送泡孔２３或いは吸引孔２５と送泡兼吸引ノズル孔２７と、及び濯ぎ液吐出孔２４と濯ぎ液吐出ノズル孔２８とが連通可能に接続され、前記ノズル体２９を回転させることにより、所定回転位置で前記送泡孔２３と送泡兼吸引ノズル孔２７とが連通するとともに濯ぎ液吐出孔２４、吸引孔２５及び濯ぎ液吐出ノズル孔２８とが遮蔽され、他の回転位置で吸引孔２５と送泡兼吸引ノズル孔２７及び濯ぎ液吐出孔２４と濯ぎ液吐出ノズル孔２８とがそれぞれ連通するとともに送泡孔２３が遮蔽されるようになっている。
【００３１】
前記ジョイント管２６とノズル体２９について、更に詳細に説明する。前記ジョイント管２６は、前記したように、送泡孔２３、濯ぎ液吐出孔２４及び吸引孔２５が軸方向に形成されており、ジョイント管２６の一端に開口する送泡孔２３、濯ぎ液吐出孔２４、吸引孔２５に適宜の継手を介して接続されている。前記送泡孔２３と吸引孔２５はジョイント管２６の軸心を挟んで対称位置に開口しており、また濯ぎ液吐出孔２４は吸引孔２５とジョイント管２６の軸心との間に開口している。
【００３２】
前記ジョイント管２６の他端面は、前記ノズル体２９との接合面２６ａとなり、該接合面２６ａに開口する前記送泡孔２３、濯ぎ液吐出孔２４及び吸引孔２５の開口部周囲にはシール部材３０が設けてある。また、前記接合面２６ａには、スプリング（図示せず）で付勢されてその一部が前記接合面２６ａから突出する係合体３１が設けてある。この係合体３１は接合状態にある前記ノズル体２９の後端面からなる接合面２９ａで押され後退し、接合面２６ａ内に没入し、前記ノズル体２９の接合面２９ａに形成された位置決め係合孔３２に一致した位置で、位置決め係合孔３２に弾発的に係合するようになっている。更に、前記ジョイント管２６の接合面２６ａには、その前記送泡孔２３、濯ぎ液吐出孔２４、吸引孔２５の開口部及び係合体３１を囲むようにシール部材３３が設けてある。前記シール部材３０，３３は接合状態にあるジョイント管２６の接合面２６ａとノズル体２９の接合面２９ａとの間をシールするようになっている。
【００３３】
他方、前記ノズル体２９にあっては、前部にノズル部３４、後部に前記ジョイント管２６に接続される接続管部３５を有し、前記したように、軸方向に送泡兼吸引ノズル孔２７及び濯ぎ液吐出ノズル孔２８が形成されている。
【００３４】
前記接続管部３５は前記ジョイント管２６と同径に形成されており、その後端面、即ちノズル体２９の接合面２９ａには、その軸心を前記ジョイント管２６の軸心と一致させた状態で、前記送泡孔２３或いは吸引孔２５と対応する位置に送泡兼吸引ノズル孔２７が、また、濯ぎ液吐出孔２４と対応する位置に濯ぎ液吐出ノズル孔２８が形成されている。
【００３５】
そして、前記ノズル体２９を回転させることにより、所定回転位置で前記送泡孔２３と送泡兼吸引ノズル孔２７とが連通するとともに濯ぎ液吐出孔２４、吸引孔２５がノズル体２９の接合面２９ａで濯ぎ液吐出ノズル孔２８がジョイント管２６の接合面２６ａで遮蔽され（図７）、この位置から１８０度回転させた位置で、吸引孔２５と送泡兼吸引ノズル孔２７及び濯ぎ液吐出孔２４と濯ぎ液吐出ノズル孔２８とがそれぞれ連通するとともに送泡孔２３がノズル体２９の接合面２９ａで遮蔽されるようになっている（図８）。
【００３６】
そして、前記ジョイント管２６の接合面２６ａに設けた係合体３１と、前記ノズル体２９の接合面２９ａに設けた位置決め係合孔３２は、前記図７，図８の状態で一致し、係合体３１が位置決め係合孔３２に弾発的に係合して、前記送泡孔２３と送泡兼吸引ノズル孔２７とが連通するとともに濯ぎ液吐出孔２４、吸引孔２５がノズル体２９の接合面２９ａで濯ぎ液吐出ノズル孔２８がジョイント管２６の接合面２６ａで遮蔽されたこと、また、吸引孔２５と送泡兼吸引ノズル孔２７及び濯ぎ液吐出孔２４と濯ぎ液吐出ノズル孔２８とがそれぞれ連通するとともに送泡孔２３がノズル体２９の接合面２９ａで遮蔽されるようになっていることが確認できるようになっている。更に、前記ジョイント管２６の外周面と前記ノズル体２９の後部の接続管部３５の外周面には、前記ノズル体２９の送泡兼吸引ノズル孔２７がジョイント管２６の送泡孔２３と吸引孔２５のいずれと連通しているかを確認できる表示部（図示せず）が設けられている。
【００３７】
前記ジョイント管２６とノズル体２９は、両者の接合面２６ａと接合面２９ａ同士を接合した状態で、接続機構３６を介して両者の軸心を中心に回転可能に接続されている。この接続機構３６は、本例では、前記ノズル体２９の後部の接続管部３５の外周面に鍔部３７が形成され、接続管部３５の外周に、先端側内周面に係合溝３８が形成され先端側内周面に雌ネジ部３９が形成された締め付けスリーブ４０の先端側が回転自在に嵌合し、前記係合溝３８が前記鍔部３７に摺動自在に係合しており、また、前記ジョイント管２６の先端側外周には、前記締め付けスリーブ４０の雌ネジ部３９に螺合する雄ネジ部４１が設けられており、前記締め付けスリーブ４０の雌ネジ部３９をジョイント管２６の雄ネジ部４１に螺合することにより、ジョイント管２６とノズル体２９を接続する構造となっている。
【００３８】
更に、前記ノズル体２９の接続管部３５には、送泡兼吸引ノズル孔２７及び濯ぎ液吐出ノズル孔２８を開閉するバルブ４２が設けられている。このバルブ４２には、送泡兼吸引ノズル孔２７及び濯ぎ液吐出ノズル孔２８と連通可能な連通孔４３，４４が形成されており、バルブ４２を９０度回転させることにより、送泡兼吸引ノズル孔２７及び濯ぎ液吐出ノズル孔２８と連通孔４３，４４が連通した状態から遮蔽した状態に切り替わるようになっている。また、前記ノズル体２９のノズル部３４の先端に開口する前記送泡兼吸引ノズル孔２７の先端開口部には、ゴムラバー等で形成されたシール部材４５が取り付けられている。
【００３９】
前記発泡装置２のコンプレッサー１７、濯ぎ液収容容器６内の濯ぎ液を吐出するポンプ８、汚水吸引装置９の吸引機１０等を駆動させるスイッチ４６はそれぞれの電源コード４７を導いてジョイント管２６の外周に設けている。
【００４０】
なお、４８は前記発泡装置２のコンプレッサー１７、ブラッシング装置４の駆動手段５、濯ぎ液収容容器６内の濯ぎ液を吐出するポンプ８、汚水吸引装置９の吸引機１０等を制御する制御盤であり、架台１３の取付板４９に取り付けられている。５０はブラッシング装置４のホルダー２２を掛けるフック、５１は架台１３に備えた物入れ部、５２は架台１３のハンドル、５３は車輪である。
【００４１】
次に、上記のような構成からなる洗浄装置の使用について説明する。
先ず、架台を被洗浄物の近傍に移動させ、接続コード１４を最寄りの電源（図示せず）に接続する。そして、洗浄剤収容容器１内に液体洗浄剤Ｗを、その上部１６に開口している送泡ホース３の開口位置よりも下方に液面が位置するように上部に空間をあけて収容する。
【００４２】
前記洗浄剤収容容器１内に収容される液体洗浄剤Ｗは、使用時の表面張力が３０ｍＮ／ｍ以上７０ｍＮ／ｍ以下である液体洗浄剤Ｗが使用される。液体洗浄剤Ｗの使用時の表面張力が３０ｍＮ／ｍ以上７０ｍＮ／ｍ以下であると、以下に述べる発泡装置２により発泡させたとき、十分な発泡性と泡保持性が得られ、生成された泡状洗浄剤Ａを被洗浄面に付着させて洗浄したとき、十分な洗浄性が得られるとともに、被洗浄物内への洗剤分や水分の量が抑制され、被洗浄物の乾燥時間が早くなる。液体洗浄剤Ｗの使用時の表面張力が３０ｍＮ／ｍ未満であると、泡保持性が弱く、直ぐに破泡して液状になり、被洗浄物内への浸透性が早くなり、その分乾燥時間が長くかかることになり、また、７０ｍＮ／ｍ以上であると、十分な洗浄効果が得られない。
【００４３】
また、前記ジョイント管２６に接続しているノズル体２９を回転して、送泡孔２３と送泡兼吸引ノズル孔２７とを連通するとともに濯ぎ液吐出孔２４、吸引孔２５、濯ぎ液吐出ノズル孔２８を遮蔽した状態とし、送泡兼吸引ノズル孔２７及び濯ぎ液吐出ノズル孔２８を開閉するバルブ４２を開の状態とする。
【００４４】
次に、スイッチ４６を操作して、発泡装置２のコンプレッサー１７を駆動すると、洗浄剤収容容器１内の底部付近で開口している送気ホース１８の先端開口部から気体が洗浄剤収容容器１内に収容されている液体洗浄剤内に空気が送り込まれ、液体洗剤収容容器１の上部１６空間に液体洗浄剤Ｗが生成され、送気ホース１８による気体の送り込みにより、前記液体洗剤収容容器１内の上部１６の空間が液体洗浄剤Ｗで満ち加圧状態となり、この加圧により液体洗浄剤Ｗが送泡ホース３に送り出される。
【００４５】
本例では、送気ホース１８が洗浄剤収容容器１内で複数本に分岐しており、各分岐ホース１８ａ，１８ｂの先端には、無数の孔が穿設されている多孔質部材１９が取り付けられているので、液体洗浄剤Ｗをより効率よく発泡させ泡状洗浄剤Ａを生成することができる。
【００４６】
このとき、前記洗浄剤収容容器１の上部１６が錐形状に形成され、該錐形状の頂部に前記送泡ホース３の一端が開口しているので、洗浄剤収容容器１で液体洗浄剤Ｗを発泡させ生成した泡状洗浄剤Ａを前記洗浄剤収容容器１の錐形状に形成された上部１６に集めることができ、生成された泡状洗浄剤Ａを、泡状洗浄剤Ａの生成の圧力により送泡ホース３に効率よく送り出すことができ、しかも、上部にある水分の少ない泡状洗浄剤Ａが送り出されることになるので、その分、被洗浄物内への洗剤分や水分の浸透する量が少なくなり、被洗浄物の短時間での乾燥に寄与するものとなる。
【００４７】
上記のようにして生成され送泡ホース３に送り出た泡状洗浄剤Ａは、ジョイント管２６の送泡孔２３、ノズル体２９の送泡兼吸引ノズル孔２７を通り、ノズル体２９のノズル部３４の先端に開口する送泡兼吸引ノズル孔２７の先端開口部から吐出する。このノズル体２９を片手で持ってノズル部３４の先端に開口する送泡兼吸引ノズル孔２７の先端開口部を被洗浄物に近づけて被洗浄面に付着させる。そして、他方の手に前記ブラッシング装置４のホルダー２２を持ち、ホルダー２２に設けた手元スイッチを操作して駆動手段５を駆動し、回転ブラシ２０を回転させ、泡状洗浄剤Ａが付着した被洗浄物の被洗浄面をブラッシングする。このときのブラッシングのトルクは、１０ｋｇ以下が好ましい。このブラッシングにより、被洗浄面に付着している泡状洗浄剤Ａが破泡し、被洗浄物の被洗浄面が回転ブラシ２０で擦られることにより、被洗浄物の被洗浄面の汚れが落とされる。
【００４８】
前記ブラッシング装置４により被洗浄物の被洗浄面をブラッシングしたら、ブラッシング装置４の駆動手段５を停止するとともに、前記発泡装置２のコンプレッサー１７を停止する。発泡装置２のコンプレッサー１７の停止により、洗浄剤収容容器１内における泡状洗浄剤Ａの生成が停止し、ノズル体２９のノズル部３４の先端に開口する送泡兼吸引ノズル孔２７の先端開口部からの泡状洗浄剤Ａの吐出が停止する。
【００４９】
次に、前記ジョイント管２６に接続しているノズル体２９を回転して、吸引孔２５と送泡兼吸引ノズル孔２７及び濯ぎ液吐出孔２４と濯ぎ液吐出ノズル孔２８とをそれぞれ連通するとともに送泡孔２３がノズル体２９を遮蔽した状態とする。
【００５０】
次に、スイッチ４６を操作して、濯ぎ液収容容器６内の濯ぎ液を吐出するポンプ８と汚水吸引装置９の吸引機１０等を駆動させると、ポンプ８の駆動により濯ぎ液収容容器６内の濯ぎ液がジョイント管２６の濯ぎ液吐出孔２４、ノズル体２９の濯ぎ液吐出ノズル孔２８を通り、ノズル体２９のノズル部３４の先端に開口する濯ぎ液吐出ノズル孔２８の先端開口部から吐出し、そして、汚水吸引装置９の吸引機１０の駆動によりノズル体２９のノズル部３４の先端に開口する送泡兼吸引ノズル孔２７の先端開口部より吸引作用が生じる。
【００５１】
この状態で、前記ノズル体２９の先端を前記ブラッシング装置４によりブラッシングした被洗浄物の被洗浄面に当てる。これにより、ノズル体２９のノズル部３４の先端に開口する濯ぎ液吐出ノズル孔２８の先端開口部から吐出する濯ぎ液がブラッシングした被洗浄物の被洗浄面に濯がれ、被洗浄面の汚れを含んだ洗浄剤が汚水となって洗い落とされ、洗い落とされた汚水は直ちにノズル体２９のノズル部３４の先端に開口する送泡兼吸引ノズル孔２７の先端開口部から、前記吸引機１０の駆動による吸引作用により吸引され、送泡兼吸引ノズル孔２７、ジョイント管２６の吸引孔２５、吸引ホース１１を通って汚水収容容器１２内に収容される。このとき、ノズル体２９のノズル部３４の先端に開口する送泡兼吸引ノズル孔２７の先端開口部にはゴムラバー等で形成されたシール部材４５が取り付けられているので、ノズル部３４の先端に開口する送泡兼吸引ノズル孔２７の先端開口部と被洗浄面との間のシール性が得られ、洗い落とされた汚水の吸引効果が高く、効率よく汚水を吸引回収することができる。
【００５２】
【発明の効果】
以上のように、本発明に係る洗浄装置によれば、被洗浄物の洗浄に際し、発泡装置により洗浄剤収容容器に収容されている液体洗浄剤を発泡させ、泡状洗浄剤を送泡ホースにより被洗浄物の被洗浄面に吐出して付着させることができ、被洗浄面に付着した泡状洗浄剤は泡の状態を保ち、被洗浄面を通して被洗浄物内への洗剤分や水分の浸透する量が抑制され、かかる状態でブラッシング装置によりブッラシングすることにより、泡状洗浄剤が被洗浄面の汚れを落とし、ブラッシングの後、ポンプを駆動して濯ぎ液収容容器内の濯ぎ液を濯ぎ液吐出ホースから被洗浄面に濯ぎながら、汚水吸引装置で被洗浄面の汚れを含む洗浄剤及び濯ぎ液等の汚水を吸引することができるので、被洗浄面の汚れを効果的に落とし美麗な被洗浄面を得られるだけでなく、被洗浄物内への洗剤分や水分の浸透する量が抑制され、その浸透量を少なくすることができ、被洗浄物の乾燥時間が早くなり、洗浄後短時間で使用に供することを可能にすることができるといった効果がある。
【図面の簡単な説明】
【図１】本発明に係る洗浄装置の実施の形態の一例を示す斜視図。
【図２】図１の洗浄装置における洗浄剤収容容器と、送気ホースとコンプレッサーとを具備する発泡装置と、送泡ホースと、濯ぎ液収容容器と、ポンプと、濯ぎ液吐出ホースと、吸引機と吸引ホースとを具備した汚水吸引装置と、汚水収容容器とノズル体を示す説明図。
【図３】洗浄剤収容容器を示す断面説明図。
【図４】ジョイント管とノズル体を示す平面図。
【図５】ジョイント管の接合面を示す正面図。
【図６】ノズル体の接合面を示す正面図。
【図７】ジョイント管とノズル体との接続の一形態を示す断面図。
【図８】ジョイント管とノズル体との接続の他の形態を示す断面図。
【図９】ジョイント管とノズル体との接続機構を示す断面図。
【符号の説明】
１  洗浄剤収容容器
２  発泡装置
３  送泡ホース
４  ブラッシング装置
５  駆動手段
６  濯ぎ液収容容器
７  濯ぎ液吐出ホース
８  ポンプ
９  汚水吸引装置
１０  吸引機
１１  吸引ホース
１２  汚水収容容器
１３  架台
１４  接続コード
１５  ソケット
１６  上部
１７  コンプレッサー
１８  送気ホース
１８ａ，１８ｂ  分岐ホース
１９  多孔質部材
２０  回転ブラシ
２１  電源コード
２２  ホルダー
２３  送泡孔
２４  濯ぎ液吐出孔
２５  吸引孔
２６  ジョイント管
２６ａ  接合面
２７  送泡兼吸引ノズル孔
２８  濯ぎ液吐出ノズル孔
２９  ノズル体
２９ａ  接合面
３０  シール部材
３１  係合体
３２  位置決め係合孔
３３  シール部材
３４  ノズル部
３５  接続管部
３６  接続機構
３７  鍔部
３８  係合溝
３９  雌ネジ部
４０  締め付けスリーブ
４１  雄ネジ部
４２  バルブ
４３、４４  連通孔
４５  シール部材
４６  スイッチ
４７  電源コード
４８  制御盤
４９  取付板
５０  フック
５１  物入れ部
５２  ハンドル
５３  車輪
Ｗ  液体洗浄剤
Ａ  泡状洗浄剤
【図１】
2004243283.tif 000003
【図２】
2004243283.tif 000004
【図３】
2004243283.tif 000005
【図４】
2004243283.tif 000006
【図５】
2004243283.tif 000007
【図６】
2004243283.tif 000008
【図７】
2004243283.tif 000009
【図８】
2004243283.tif 000010
【図９】
2004243283.tif 000011